(57)【要約】      （修正有）【課題】消火剤組成物への簡便かつ確実な着火手段を有し、瞬時に消火剤組成物を活性化でき、粉末エアロゾル消火剤を放出可能な発煙消火剤を提供する。【解決手段】過マンガン酸カリウム等の酸化剤１０とグリセリンのような高粘性の液状易酸化性物質４ｂとを有する着火剤と着火剤によって着火燃焼され粉末エアロゾルを放出可能な消火剤組成物とを具備し、酸化剤と易酸化性物質とがそれぞれ個別の容器に収納され、両者が消火剤組成物表面にて接触することにより発熱させ、消火剤組成物に着火させる。【選択図】図１
2010115351.tif 000002
【特許請求の範囲】
【請求項１】
少なくとも酸化剤と易酸化性物質とを有する着火剤と、
粉末エアロゾルを放出可能な消火剤組成物と、
を具備した発煙消火剤において、
前記酸化剤と前記易酸化性物質とがそれぞれ個別の容器に収納され、
両者が消火剤組成物表面にて接触することにより発熱し、前記消火剤組成物に着火するように構成されたことを特徴とする発煙消火剤。
【請求項２】
少なくとも酸化剤と易酸化性物質とを有する着火剤と、
粉末エアロゾルを放出可能な消火剤組成物と、
を具備した発煙消火剤において、
前記易酸化性物質が容器に収納され、前記酸化剤が前記消火剤組成物に形成した収納穴に前記容器に閉止された状態で収納され、
両者が消火剤組成物表面にて接触することにより発熱し、前記消火剤組成物に着火するように構成されたことを特徴とする発煙消火剤。
【請求項３】
前記易酸化性物質が、高粘性の液状易酸化性物質であることを特徴とする請求項１又２に記載の発煙消火剤。
【請求項４】
前記易酸化性物質がグリセリンであることを特徴とする請求項１乃至３のいずれかに記載の発煙消火剤。
【請求項５】
前記酸化剤が、粒径１０〜１５０μｍの過マンガン酸カリウム粉末であることを特徴とする請求項１乃至４のいずれかに記載の発煙消火剤。
【請求項６】
前記消火剤組成物が、塩素酸カリウムあるいは過塩素酸カリウムが主成分であることを特徴とする請求項１乃至５のいずれかに記載の発煙消火剤。
【発明の詳細な説明】
【技術分野】
【０００１】
本発明は、密閉された室内等で発生した火炎を消火するための発煙消火剤に関するものであり、より詳しくはアルカリ金属またはハロゲンのような消火成分を含む消火剤組成物に着火し、該消火剤組成物の燃焼により粉末エアロゾルを発生させ、火炎中に噴霧させて火炎を消火する発煙消火剤に関するものである。
【背景技術】
【０００２】
密閉空間の火災における消火は、従来二酸化炭素あるいはハロン１２１１に代表されるハロゲン化炭素を消火剤として噴出させるものが知られている。
【０００３】
二酸化炭素を消火剤として用いるものは、密閉空間における酸素濃度を低下させ燃焼を抑制し消火させるものであるが、該二酸化炭素は有害であり、人体に損害を与え、尊い人命を失う危険性もあるため、より毒性の低いハロゲン化炭素を用いた消火剤が多く使用されてきた。
【０００４】
しかしながら、このハロゲン化炭素はオゾンと相互作用し、オゾン層の破壊に繋がることが知られており、地球環境上の問題から全世界的に使用が制限されている。
【０００５】
これらの消火剤の代替として、アルカリ金属若しくはアルカリ土類金属を含む塩化物や炭酸塩等を含んだ消火剤組成物を用い、該消火剤組成物の燃焼反応により粉末エアロゾルを発生させ、火炎中に噴出させ、火炎の連鎖反応を停止させ消火する発煙消火剤が知られている。（特許文献１参照）
【特許文献１】特許第３７６６６８５号公報
【発明の開示】
【発明が解決しようとする課題】
【０００６】
このような発煙消火剤においては一般的に消火剤組成物を活性化させ、エアロゾルを放出せしめるため、何らかの着火機構が設けられており、該消火剤組成物への着火方法としては、種々のものが検討されている。例えば、直接火炎にて消火剤組成物に着火する方法、酸化カルシウムに水を加えその際発生する熱を利用し消火剤組成物に着火させる方法、鉄粉等の金属粉の酸化反応による発熱を利用し着火させる方法、電熱コイルにより加熱し着火させる方法、物理的な力によって摩擦熱を発生させ消火剤組成物に着火させる方法等があげられる。
【０００７】
しかし、直接火炎による方法は裸火を使用することから安全面での問題がある。酸化カルシウムに水を加える方法は防湿に厳重な注意を要し、また、金属粉を用いる場合は空気との接触を完全に断つことが必要であり、両者とも特殊な容器又は外装を要し装置が煩雑になる。電熱コイル等の電力を用いる方法は使用する場所が限られ、装置も煩雑になり、また物理的な力を用いる方法は安全性あるいは確実な着火性の面で欠点がある。
【０００８】
本発明の目的は、上記の欠点を除くべく、消火剤組成物への簡便かつ確実な着火手段を有し、瞬時に消火剤組成物を活性化でき、粉末エアロゾル消火剤を放出可能な発煙消火剤を提供することである。
【課題を解決するための手段】
【０００９】
本発明者らは鋭意検討した結果、過マンガン酸カリウムに代表される酸化剤と易酸化性物質とがそれぞれ個別の容器に収納され、消火剤組成物に着火すべき時に、両者を消火剤組成物表面上にて接触させることにより発熱させ、前記消火剤組成物に着火するように構成した発煙消火剤が上記課題を解決できることを見出し本発明の完成に至った。
【００１０】
すなわち本発明は以下の（１）〜（６）に示すものである。
【００１１】
（１）少なくとも酸化剤と易酸化性物質とを有する着火剤と、
粉末エアロゾルを放出可能な消火剤組成物と、
を具備した発煙消火剤において、
前記酸化剤と前記易酸化性物質とがそれぞれ個別の容器に収納され、
両者が消火剤組成物表面にて接触することにより発熱し、前記消火剤組成物に着火するように構成されたことを特徴とする発煙消火剤。
【００１２】
（２）少なくとも酸化剤と易酸化性物質とを有する着火剤と、
粉末エアロゾルを放出可能な消火剤組成物と、
を具備した発煙消火剤において、
前記易酸化性物質が容器に収納され、前記酸化剤が前記消火剤組成物に形成した収納穴に前記容器に閉止された状態で収納され、
両者が消火剤組成物表面にて接触することにより発熱し、前記消火剤組成物に着火するように構成されたことを特徴とする発煙消火剤。
【００１３】
（３）前記易酸化性物質が、高粘性の液状易酸化性物質であることを特徴とする前記（１）又は（２）に記載の発煙消火剤。好ましくは、２５℃における粘性率が５〜２０Ｐａ・ｓの範囲の液状易酸化性物質であることを特徴とする前記発煙消火剤である。
【００１４】
（４）前記易酸化性物質がグリセリンであることを特徴とする前記（１）乃至（３）に記載の発煙消火剤。
【００１５】
（５）前記酸化剤が、粒径１０〜１５０μｍの過マンガン酸カリウム粉末を含んだ組成物であることを特徴とする前記（１）乃至（４）のいずれかに記載の発煙消火剤。
【００１６】
（６）前記消火剤組成物が、塩素酸カリウムあるいは過塩素酸カリウムが主成分であることを特徴とする前記（１）乃至（５）のいずれかに記載の発煙消火剤。より好ましくは過塩素酸カリウムと還元剤との混合物である。
【発明の効果】
【００１７】
本発明の発煙消火剤によれば、易酸化性物質として高粘性の液状を呈する物質を用い、消火剤組成物表面上にて該易酸化性物質と酸化剤とを接触させることにより、該消火剤組成物内部に滲入することなく、着火剤が表面にて局所的に発熱できるため、確実かつ迅速に消火剤組成物を活性化することが可能になる。
【００１８】
従って、着火剤として用いる酸化剤及び易酸化性物質の量を低減することが可能であり、消火剤を小型化、簡素化可能である。
【発明を実施するための最良の形態】
【００１９】
本発明の発煙消火剤について図面を参照し、より詳細に説明する。
【００２０】
図１は本発明の発煙消火剤の一例を示す概略図である。図１において、金属製の密閉された容器１内に、消火剤組成物２が充填されている。消火剤組成物２の上方には着火剤容器３が配置されている。着火剤容器３は、酸化剤１０が封入された酸化剤容器４ａと易酸化性物質１２が封入された易酸化性物質容器４ｂをそれぞれ個別の容器として一体化している。
【００２１】
火災が発生し、容器１が高温になると本発明の発煙消火剤に具備された感熱部５が作動し、着火剤容器３として一体化している酸化剤１０が封入された酸化剤容器４ａと易酸化性物質１２が封入された易酸化性物質容器４ｂが衝破され、着火剤である酸化剤１０と易酸化性物質１２が消火剤組成物２の表面上に漏出する構成となっている。
【００２２】
例えば、図１に示した発煙消火剤は、低融点はんだ等で容器に固着された感熱部５が、容器１の蓋６との間に圧縮バネ７を介して備えられ、感熱部５が高温になると低融点はんだが溶融して容器１から脱着され、開放された圧縮バネ７の押圧によって感熱部５が下方に押動する。予め感熱部５の下方には着火剤容器衝破用の破砕具８が具備されており、感熱部の押圧によって着火剤容器３が衝破される仕組みとなっている。
【００２３】
着火剤である酸化剤１０及び易酸化性物質１２が消火剤組成物２の表面上にて接触し発熱することによって消火剤組成物２に着火され、消火剤組成物２が燃焼することにより放出孔（図示せず）より消火剤が放出される。
【００２４】
本発明に用いる着火剤において、使用できる酸化剤については易酸化性物質と反応し発熱する発熱性酸化剤であれば特に制限なく用いることができるが、消火剤組成物への着火性の面から過マンガン酸カリウムを用いることが好ましい。また、過マンガン酸カリウムは粉末状のものであることが好ましく、粒径が１０〜１５０μｍのものであることが好ましい。過マンガン酸カリウムの粒径が１５０μmより大きいものを使用すると、過マンガン酸カリウム粉末の表面積が小さいため、易酸化性物質との反応が起こりにくくなり、着火性が損なわれる場合がある。
【００２５】
また、本発明に用いる着火剤において、使用できる易酸化性物質については液状の有機系易酸化性物質であり、高粘性のものを用いることが好ましい。
【００２６】
本発明は、消火剤組成物への迅速な着火を目的の一つとしており、前記着火剤は、消火剤組成物表面に滞留することができ、消火剤組成物表面にて酸化剤と接触することにより消火剤組成物を局所的に発熱し、迅速にエアロゾル消火剤が放出されるよう該組成物に着火燃焼できることが必要である。従って、例えばエチレングリコールなどの低粘性の易酸化性物質を用いた場合、消火剤組成物表面に留まらず、消火剤組成物内部に滲入してしまい、迅速及び確実な着火が行えない可能性がある。
【００２７】
易酸化性物質が消火剤組成物内部に滲入することを抑制するため、消火剤組成物に別途バインダー等を加え成型することで消火剤組成物への浸透性を抑制することも考えられるが、そのような手段は消火剤組成物中の単位体積当たりの消火剤物質を低減することになり、消火効果の低い消火剤を与えることになる。また、消火剤組成物中にバインダー等を混合することは着火性を低下させることにもつながり好ましくない。
【００２８】
本発明に用いることができる高粘性の易酸化性物質として、より具体的には２５℃における粘性率が５〜２0Ｐａ・ｓの範囲である液状易酸化性物質を用いることが好ましい。粘性率が５Ｐａ・ｓに満たないものを用いた場合、流動性が高いため消火剤組成物内部に滲入しやすく、消火剤組成物表面にて酸化剤と接触できず、着火が困難になる場合がある。また、２0Ｐａ・ｓを超えるものを用いた場合は、その粘度が高すぎるため封入された容器から速やかに易酸化性物質が漏出せず、酸化剤と混合できずに不着火になる場合がある。
【００２９】
上記理由および酸化剤との良好な発熱反応性の面から、本発明に用いることができる易酸化性物質として最も好ましいものは、グリセリンである。
【００３０】
本発明に用いる消火剤組成物は燃焼して粉末エアロゾルを発生するものである。該消火剤組成物としては、特に制限がないが、アルカリ金属塩を主成分とする発煙消火剤組成物を使用することが好ましい。アルカリ金属塩として具体的には、塩素酸カリウム、過塩素酸カリウム、重クロム酸カリウム、硝酸セシウム、および硝酸カリウムからなる群より選択されたアルカリ金属塩が好ましく、入手のしやすさ、コスト等の面からより好ましくは塩素酸カリウム、過塩素酸カリウムである。
【００３１】
また、上記アルカリ金属塩に還元剤として作用する反応物を含んだものが好ましい。該還元剤としては、ゴム、不飽和ポリエステル樹脂、エポキシ樹脂、フェノール樹脂、フェノール−ホルムアルデヒド樹脂等の高分子材料を好ましく用いることができる。
【００３２】
さらに、本発明に用いる消火剤組成物には、別途、燃焼抑制剤、金属還元剤がそれぞれ配合されていてもよい。該燃焼抑制剤としては、塩化カリウム、炭酸カリウム、炭酸水素カリウム、塩化ナトリウム、炭酸ナトリウム、炭酸水素ナトリウム等の塩を用いることができる。また、該金属還元剤としてはマグネシウム、アルミニウムを挙げることができる。
【００３３】
これらの消火剤組成物は、過塩素酸カリウムに代表される酸化剤を主成分とし、樹脂等の還元剤及び適宜、燃焼抑制剤、金属還元剤を混合し、成型したものを使用することができる。
【００３４】
実施例
アンプル管にグリセリンと過マンガン酸カリウムとを重量比で1：1の割合でそれぞれ封入し、図１のように設置した。着火剤であるグリセリン及び過マンガン酸カリウムはそれぞれ個別の容器に封入した。この容器は、アンプル管のように肉薄で確実に割れるものを用いることが好ましいが、形状、材質についてはガラス、プラスチック等使用でき、特に制限されない。
【００３５】
消火剤組成物は過塩素酸カリウムを主剤としたものを用い、還元剤として不飽和ポリエステル樹脂および木炭を用いた。
（消火剤組成物の組成）
過塩素酸カリウム    ７3重量部
不飽和ポリエステル樹脂    １3重量部
木炭                 5重量部
炭酸カリウム         9重量部
消火剤組成物は金属製容器の底部に入れ、特に圧縮成型等は行わなかった。
【００３６】
以上のように発煙消火剤を作製した。
【００３７】
比較として使用する易酸化性物質をグリセリンに変え、エチレングリコール及びポリエチレングリコールを用い同様に発煙消火剤を作製した。
【００３８】
また、使用する過マンガン酸カリウムの粒径を変え同様に発煙消火剤を作製し、着火性の確認試験を行った。
【００３９】
それら実施の形態及び着火性の確認試験結果を下表１にまとめて示す。
【００４０】
【表１】
2010115351.tif 000003
試験１においては容器の感熱部に火炎を当てて加熱すると感熱部が脱着し、１０秒ほどで消火剤に着火した。一方、易酸化性物質としてポリエチレングリコール（分子量      200：粘度０．０４Ｐａ・ｓ）を用いた場合、消火剤に着火できなかった。不着火の原因を調べたところ、発煙消火剤組成物に該ポリエチレングリコールが完全に浸透していることが確認された。
【００４１】
過マンガン酸カリウムの粒径を変えて着火性を確認した試験５において、粒径が１５０μｍ以上のものを使うと消火剤の着火性が悪くなることを確認した。
【００４２】
図２は本発明の発煙消火剤の他の例を示す概略図である。図２において、金属製の密閉された容器１内に、消火剤組成物２が充填されている。消火剤組成物２の上部表面には収納円筒穴９が形成され、その中に着火剤である酸化剤１０と収納容器であるバルーン１１に封入した易酸化性物質１２を収納している。
【００４３】
易酸化性物質１２を封入したバルーン１１は、プラスチックの薄膜シートやゴムで作られており、円筒収納穴９の開口側に封鎖し、容器１がどのような向きに設置されても、酸化剤１０が収納円筒穴９から出ないようにしている。
【００４４】
消火剤組成部２の上側には低融点はんだ５で容器１に固定された感熱部５が、容器１の蓋６との間に圧縮バネ７を介して備えられ、感熱部５が高温になると低融点はんだ５ａが溶融して容器１から脱着され、開放された圧縮バネ７の押圧によって感熱部５が下方に押動する。感熱部５の下方には  バルーン衝破用の破砕具８が具備されており、感熱部５の押圧によってバルーン１１が衝破され、封入している易酸化性物質１２を酸化剤１０に接触させる仕組みとしている。
【００４５】
着火剤である酸化剤１０及び易酸化性物質１２が消火剤組成物２の表面上にて接触し発熱することによって消火剤組成物２に着火され、消火剤組成物２が燃焼することにより放出孔（図示せず）より消火剤が放出される。
【００４６】
図３は本発明の発煙消火剤の他の例を示す概略図である。図３の例は、消火剤組成物２の上部表面に収納円錐穴１３を形成され、その中に着火剤である酸化剤１０と収納容器であるバルーン１１に封入した易酸化性物質１２を収納している。それ以外の構成は図２と同じである。このように収納円錐穴１３を設けることで、消火剤組成物２側の空洞部分を少なくできる。
【００４７】
図４は本発明の発煙消火剤の他の例を示す概略図である。図４の例は、消火剤組成物２の上部表面に形成した収納円筒穴９の底部に酸化剤１０を収納し、続いて収納容器であるバルーン１１に封入した易酸化性物質１２を収納し、その上に、下側に破砕爪１５ａを突出したプランジャ１５を摺動自在に配置している。プランジャ１５に対しては、低融点はんだ５で容器１に固定された感熱部５の下側に設けた押圧ロッド１４の先端が位置している。
【００４８】
感熱部５が高温になると低融点はんだ５ａが溶融して容器１から脱着され、開放された圧縮バネ７の押圧によって感熱部５が下方に押動する。この感熱部５の押圧によって押圧ロッド１４がプランジャ１５を押込み、破砕爪１５ａによってバルーン１１が衝破され、封入している易酸化性物質１２を酸化剤１０に接触させる。
【００４９】
着火剤である酸化剤１０及び易酸化性物質１２が消火剤組成物２の表面上にて接触し発熱することによって消火剤組成物２に着火され、消火剤組成物２が燃焼することにより放出孔（図示せず）より消火剤が放出される。なお、プランジャ１５とバルーン１１の間に酸化剤１０を配置して、バルーン１１の上部で酸化剤１０と易酸化性物質１２が接触する構成であっても良い。
【００５０】
図５は本発明の発煙消火剤の他の例を示す概略図である。図５の例は、消火剤組成物２の上部表面に形成した収納円筒穴９の底部に酸化剤１０を収納し、続いて易酸化性物質１２を充填したインジェクタ１６を配置している。インジェクタ１６は、先端に注入穴２０を備えたシリンダ１７にピストン１８を摺動自在に設け、シリンダ１７内に易酸化性物質１２を充填している。またシリンダ１７の外側にはストッパフランジ１９が形成され、収納円筒穴９にインジェクタ１６をセットする際の位置決めを行っている。
【００５１】
インジェクタ１６の注入穴２０は易酸化性物質１２を充填した状態で開放したままとしていても漏れ出すことはないが、必要に応じて、注入穴２０の開口部にビニールシートなどによる蓋を付けておいても良い。
【００５２】
インジェクタ１６のピストン１８に対しては低融点はんだ５で容器１に固定された感熱部５の下側に設けた押圧ロッド１４の先端が位置している。感熱部５が高温になると低融点はんだ５ａが溶融して容器１から脱着され、開放された圧縮バネ７の押圧によって感熱部５が下方に押動する。この感熱部５の押圧によって押圧ロッド１４がインジェクタ１６のピストン１５を押し下げ、注入穴２０から易酸化性物質１２を押し出して酸化剤１２に接触させる。
【００５３】
着火剤である酸化剤１０及び易酸化性物質１２が消火剤組成物２の表面上にて接触し発熱することによって消火剤組成物２に着火され、消火剤組成物２が燃焼することにより放出孔（図示せず）より消火剤が放出される。
【００５４】
図６は本発明の発煙消火剤の他の例を示す概略図である。図６の例は、容器１の内部に中心に円筒穴２ａを形成した消火剤組成物２を収納し、容器１の底部にヘッド部１ａを形成し、ヘッド部１ａの中に酸化剤収納部２２を生成する下部に開口した円錐状の穴を形成している。
【００５５】
ヘッド部１ａには下側からヘッドボディ２４が挿入され、例えば融点１００℃の高融点はんだ３２により固定されている。ヘッドボディ２４の内部の通し穴には上部にバネ受け２６ａを形成したステム２６が挿入され、ステム２６の下端を外部に取り出し、そこに集熱板２８を例えば融点７２℃の低融点はんだ３０により固着し、ヘッドボディ２４の上端とバネ受け２６ａとの間にバネ３４を配置し、ステム２６を上方に付勢している。
【００５６】
ステム２６の上部に形成したバネ受け２６ａの先端面にはカッター３６が装着されている。消火剤組成物２の円筒穴２ａには容器１と一体に形成したバルーン支持部１ｂが挿入されており、バルーン支持部１ｂの先端に、カッター３６に相対して容易酸化性物質１２を充填したバルーン１１が装着されている。またヘッド部１ａの内部の酸化剤収納部２２には酸化剤１０が収納されている。
【００５７】
集熱板２８が高温になると低融点はんだ３０が溶融し、図７に示すように、集熱板２８がステム２６から離脱して脱落し、ステム２６はバネ３４の力で押し上げられ、カッター３６によってバルーン１１が衝破され、封入している易酸化性物質１２を酸化剤１０に接触させる。
【００５８】
着火剤である酸化剤１０及び易酸化性物質１２が接触して発熱し更に発火することによって消火剤組成物２に着火され、消火剤組成物２が燃焼する。この燃焼に伴いヘッド部１ａの温度が上昇し、高融点はんだ３２が溶融すると、図８に示すように、ヘッド部１ａからヘッドボディ２４、ステム２６及びバネ３４が落下して開口し、ここを放出孔として消火剤が放出される。
【００５９】
なお、図８において、バルーン１１に代えて酸化剤１０と易酸化性物質１２を別々に封入した２重バルーンを設け、ステム２６のカッター３６により２重バルーンを衝破し、封入している易酸化性物質１２と酸化剤１０を接触させることにより着火させても良い。
【００６０】
図９は本発明の発煙消火剤の他の例を示す概略図である。図９の例は、容器１に収納した消火剤組成物２の上部表面に形成した収納円筒穴９の底部に固形した酸化剤１０を収納し、続いて収納容器であるバルーン１１に封入した易酸化性物質１２を収納し、その上に、下側に破砕爪４０を突出したステム３８を配置している。
【００６１】
ステム３８にはバネ収納室４１を備えたガイドフランジ部４２が一体に形成され、容器１内で上下方向に摺動自在に支持されている。ステム３８の上部は容器１の外部に取り出され、そこに集熱板４４を低融点はんだ４８により固着し、更に、バネ収納室４１にバネ４６を組み込み、容器１に対しステム３８を消火剤組成物２側に付勢している。またガイドフランジ部４２には複数の放出孔５０が形成され、その外側に位置する容器１ａの上端面にも複数の放出孔５２が形成されている。
【００６２】
集熱板４４が高温になると低融点はんだ４８が溶融してステム３８から離脱して固定状態を解除し、ステム３８はバネ４６の力によって下方に押動する。このステム３８の押動によって破砕爪４０がバルーン１１を衝破し、封入している易酸化性物質１２を酸化剤１０に接触させる。
【００６３】
着火剤である酸化剤１０及び易酸化性物質１２が消火剤組成物２の表面上にて接触し発熱することによって消火剤組成物２に着火され、消火剤組成物２が燃焼することにより放出孔５０から放出孔５２を通って消火剤が外部に放出される。
【産業上の利用可能性】
【００６４】
本発明によれば、感熱により速やかにエアロゾルを噴出することが出来るので、不活性ガス消火器の代替として好適に使用でき、また、自動消火器への応用が可能である。
【図面の簡単な説明】
【００６５】
【図１】本発明の発煙消火剤の一例を示す概略図
【図２】本発明の発煙消火剤の他の例を示す概略図
【図３】本発明の発煙消火剤の他の例を示す概略図
【図４】本発明の発煙消火剤の他の例を示す概略図
【図５】本発明の発煙消火剤の他の例を示す概略図
【図６】本発明の発煙消火剤の他の例を示す概略図
【図７】図６の実施形態で低融点はんだが溶融したときの動作を示した説明図
【図８】図７に続いて高融点はんだが溶融したときの動作を示した説明図
【図９】本発明の発煙消火剤の他の例を示す概略図
【符号の説明】
【００６６】
１      容器
２      消火剤組成物
３      着火剤容器
４ａ    酸化剤容器
４ｂ    易酸化性物質容器
５      感熱部
５ａ    低融点はんだ
６      蓋
７      圧縮バネ
８      破砕具
９      収納円筒穴
１０    酸化剤
１１    バルーン
１２    易酸化性物質
１３    収納円錐穴
１４    押圧ロッド
１５    プランジャ
１５ａ  破砕爪
１６    インジェクタ
１７    シリンダ
１８    ピストン
１９    ストッパフランジ
２０    注入穴
【図１】
2010115351.tif 000004
【図２】
2010115351.tif 000005
【図３】
2010115351.tif 000006
【図４】
2010115351.tif 000007
【図５】
2010115351.tif 000008
【図６】
2010115351.tif 000009
【図７】
2010115351.tif 000010
【図８】
2010115351.tif 000011
【図９】
2010115351.tif 000012